(57)【要約】      （修正有）【課題】未使用であることを明確とし、さらに正確な半体に分割できなくとも、接ぎ箸として使用できる割り箸型の接ぎ箸を提供する。【解決手段】把持部と食べ物を掴む箸先部３からなる接ぎ箸として、箸先部３を木材の木目方向に長い左右が一体化した割り箸状となった一膳の左右の箸先部３において、予め左右の箸先部３の接ぎ部４の側を横幅および厚さを食べ物を掴む先端部５の横幅および厚さより僅かに大きく形成し、左右の箸先部３の接ぎ部４の側をその接ぎ箸の分割部４ａの形状にＶ字状の切込み４ｂで２分割して左右を割り、食べ物を掴む先端部５を一体部５ａとし、箸先部３の表裏面の中央に分割ライン４ｂを線刻したことを特徴とする。【選択図】図１
0003138336.tif 000002
【実用新案登録請求の範囲】
【請求項１】
手で把持する把持部２と食べ物を掴む箸先部３から形成した接ぎ箸１として、箸先部３を木材の木目方向に長い左右が一体化して割り箸状となった一膳の左右の箸先部３において、予め左右の箸先部３の接ぎ部４の側を横幅および厚さを食べ物を掴む先端部５の横幅および厚さより僅か大きく形成し、左右の箸先部３の接ぎ部４の側をその接ぎ箸１の分割部４ａの形状に２分割して左右を割り、食べ物を掴む先端部５を一体部５ａとし、箸先部３の表裏面の中央に分割ライン４ｂを線刻したことを特徴とする接ぎ箸１の箸先部３。
【請求項２】
箸先部３は接ぎ部４の側の表裏面に箸先部３の長手方向に直角な凹条３ａをそれぞれ有し、把持部２の箸先嵌合用の把持部長手方向の凹状嵌合溝２ａの内部に形成の直角方向の凸条２ｂを嵌合係止するものとしたことを特徴とする請求項１に記載の接ぎ箸１の箸先部３。
【考案の詳細な説明】
【技術分野】
【０００１】
この考案は、食事をする際に使用する箸として、先に出願した実願２００７−７２５６の箸先部と把持部からなる接ぎ箸の箸先部に関し、割り箸と同じように使用時に左右の箸を分離して箸先部とするものにおいて、接ぎ箸とする際に分離した箸が正確な接ぎ部を形成しているものとした接ぎ箸用の箸に関する。
【背景技術】
【０００２】
出願人は、上記の実願２００７−７２５６において、食物を掴む箸先部の部分を衛生上の点から、従来の割り箸のように使い捨てとするが、手指で使用時に握る箸後端側の部分を別体として箸先部の部分と分離できるものとし、この箸後端側の部分を繰り返し使用可能とし、一方、箸先部は長さを短くすることで、箸先部の素材である木材の省資源を図ることができる接ぎ箸を提案している。
【０００３】
しかし、上記で提案した箸先部は、一膳の２本の箸のうちそれぞれの箸を独立した箸先部として製作したものからなるものである。このために、この箸先部は新品であるか、使用済みのものを洗い直したものかが不明であり、使用者には他人が口に入れたものでないかの不信の念を拭いきれなかった。そこで、一膳の２本の箸先部が各１本がそれぞれ独立に製作された箸先部ではなく、割り箸のように一体化して製造した箸先部を、使用時に使用者が２本の箸先部に分割して使用することができれば、未使用の箸先部であることが一目瞭然であるので、衛生上の面から使用者が気持ちよく使用できる。
【０００４】
従来、割り箸の改善としては、例えば、爪楊枝を内蔵するものが提案されている（例えば、特許文献１参照。）。しかし、このものは割り箸の改善であっても、長さの短い割り箸を接ぎ箸として使用するものではない。
【０００５】
【特許文献１】登録実用新案公報第３０４１０８３号
【考案の開示】
【考案が解決しようとする課題】
【０００６】
接ぎ箸は、箸の持ち手の部分である手指で握る箸後端側の把持部の部分と食べ物を掴む箸先部の部分からなっている。この把持部の部分に接ぎ足す箸先部の部分を分割した割り箸の片側を使用するものとするならば、未使用の箸先部であることが一目瞭然で衛生上からも好ましい。しかし、このように割り箸形状のものを箸先部として使用する場合に、接ぎ部を正確な半体に分割する必要がある。そこで、本考案が解決しようとする課題は、箸先部が未使用であることを明確とし、さらに正確な半体に分割できなくとも、接ぎ箸として使用できるものとした、先に提案の実願２００７−７２５６の接ぎ箸に使用するための割り箸型の分割タイプの接ぎ箸を提供することである。
【課題を解決するための手段】
【０００７】
上記の課題を解決するための本考案の手段は、請求項１の考案では、手で把持する把持部２と食べ物を掴む箸先部３から形成した接ぎ箸１として、箸先部３を杉や柳など木材からなる木目方向に長い左右が一体化した割り箸状となった一膳の左右の箸先部３において、予め左右の箸先部３の接ぎ部４の側を横幅および厚さを食べ物を掴む先端部５の横幅および厚さより僅か大きく形成し、左右の箸先部３の接ぎ部４の側をその接ぎ箸１の分割部４ａの形状にＶ字状の切込み４ｂで２分割して左右を割り、食べ物を掴む先端部５を一体部５ａとし、箸先部３の表裏面の中央に分割ライン４ｂを線刻したことを特徴とする接ぎ箸１の箸先部３である。
【０００８】
請求項２の考案では、箸先部３は接ぎ部４の側の表裏面に箸先部３の長手方向に直角な凹条３ａをそれぞれ有し、把持部２の箸先嵌合用の把持部長手方向の凹状嵌合溝２ａの内部に形成の直角方向の凸条２ｂを嵌合係止するものとしたことを特徴とする請求項１の手段の接ぎ箸１の箸先部３である。
【考案の効果】
【０００９】
本考案は上記の手段としたことで、接ぎ箸１の箸先部３を割り箸形状の箸先部３としたことで、箸先部３が未使用品であることが一目瞭然であり、したがって清潔感を与えるものである。さらに割り箸形状の箸先部３を使用時に割るとき、正確な形状に２分割されないときは接ぎ箸として手で握る把持部２に正確に挿着できなくなる恐れがある。従来の割り箸では、把持部側は予め分割されてなく、食べ物を掴む先端部側が予め分割されているが、本考案の接ぎ箸１では、割り箸形状の分割用の切込み４ｂを把持部２との接ぎ部４の側の部分を予め正確に分割して、食べ物を掴む先端部５を一体化して形成しているので、使用時に分割しても接ぎ部４の側の形状は正確であり、したがって把持部２で正しく緊締することができる。この箸先部３においても接ぎ部４側の表裏面に凹条３ａを設けることで、把持部２の箸先嵌合部２ａの凹状２ｂに設けた凸条２ｃを接ぎ部４の凹条３ａに嵌合し、箸先部３が把持部２から抜け落ちることを防止しているなど、本考案は優れた効果を示すものである。
【考案を実施するための最良の形態】
【００１０】
本考案の実施の形態について図面を参照して説明する。この考案の第１の実施の形態は接ぎ箸１の箸先部３を割り箸型の長さ１０〜１１ｃｍの箸先部３としたものである。図１の（ａ）に示すように、割り箸形状の箸先部３は、図３に示す把持部２の箸先嵌合部２ａに挿着するための接ぎ部４と、長手方向の先端側の食べ物を掴むための先端部５とからなり、これらは従来の割り箸のように、使用する前は一膳となる１対の箸は互いに接合した一体化物からなっている。
【００１１】
この場合、本考案の左右の箸先部３が一体化物からなる割り箸形状の箸先部３は、従来の割り箸と異なり、箸に分割するために表面側がＶ字状となった切込み４ｂが図１の（ａ）に実線で示すように長手方向中央部に予め先端部５の手前まで全長の約８〜９割の範囲で設けられている。この中央部の点線で示す先端部５の部分は表面側にＶ字状の彫り込みが設けられているが、この部分は接続されたままである。接ぎ部４をその端部側から見た図を図１の（ｂ）に示す。この図に見られるように接ぎ部４は左右の分割部４ａ、４ａとなっている。さらに、先端部５をその端部側から見た図を図１の（ｃ）に示す。この図に見られるように先端部５は一体部５ａとなっている。
【００１２】
図１の（ｃ）に見られる先端部５の一体部５ａの断面形状は、図１の（ｂ）に見られる接ぎ部４の左右の分割部４ａ、４ａの合わせた断面形状よりもその厚さおよび幅共にやや小さく、使用時に分割したときに、先端部５で食べ物を摘みやすく形成されている。さらに接ぎ部４の左右の分割部４ａ、４ａは予め切り込みを入れて分割されているので、その大きさは必要とする大きさに正確に定型化されている。したがって、本考案の接ぎ箸１の箸先部３は出願人の先に出願した実願２００７−７２５６における、図３に示す、把持部２の箸先嵌合部２ａの凹条嵌合溝２ｂに正確に挿着できるものとできる。
【００１３】
さらに、上記の実施例に加えて、箸先部３を把持部２の箸先嵌合部２ａの凹条２ｂに挿着した際に、抜け落ちないように、箸先部３の接ぎ部４の側の表裏面に長手と直角方向に凹条３ａを形成し、把持部２の箸先嵌合部２ａの凹条嵌合溝２ｂ内に設けた長手と直角方向の凸条２ｃが接ぎ部４の凹条３ａに嵌合するようにして抜け落ちを防止している。
【図面の簡単な説明】
【００１４】
【図１】図１は、本考案の接ぎ箸の箸先部を示す図で、（ａ）は模式的平面図、（ｂ）は接ぎ部の端面側から見た分割部、（ｃ）は先端部の端面側から見た一体部である。
【図２】箸先部の接ぎ部側の凹条を示す斜視図である。
【図３】接ぎ箸の把持部の箸先嵌合部に箸先部を挿着した状態を示す平面図である。
【符号の説明】
【００１５】
１  接ぎ箸
２  把持部
２ａ  箸先嵌合部
２ｂ  凹条嵌合溝
２ｃ  凸条
３  箸先部
３ａ  凹条
４  接ぎ部
４ａ  分割部
４ｂ  切込み
５  先端部
５ａ  一体部
【図１】
0003138336.tif 000003
【図２】
0003138336.tif 000004
【図３】
0003138336.tif 000005